(57)【要約】【課題】光送受信モジュールにおいて、発光素子の光が筐体内で反射などにより受光素子に直接受光し、ノイズとなることを防止すると共にモジュールの大型化を抑制し、高性能で小型かつ安価なモジュールを提供する。【解決手段】ＬＤ１からの第１の波長光λ１を透過し、かつ光ファイバ１１からの第２の波長光λ２を反射してＰＤ７へ入射可能な分波フィルタ３１を、ＬＤ１とＰＤ７の光軸が直交する位置に配置した光送受信モジュールであって、光レセプタクル３００の保持部材１５の先端部が光軸に対し４５±５°傾斜し、その傾斜面３３にガラス平行平板からなる分波フィルタ３１が取り付けられている。また、光アイソレータ素子２２が筐体３の第２のザグリ部２７に直接取り付けられている。【選択図】図１
2007121987.tif 000002
【特許請求の範囲】
【請求項１】
発光素子、受光素子、及び光信号の導出、導入を行う光ファイバを有し、複数の波長の光信号にて送受信を行う送受信モジュールであって、
上記発光素子が積載された発光素子ユニットと上記受光素子が積載された受光素子ユニットとを上記発光素子と受光素子の光軸が直交するように筺体に固定し、
光ファイバが積載された保持部材を上記光ファイバが発光素子の光軸上になるように上記筺体に固定し、
上記発光素子からの第１の波長光を透過し、かつ光ファイバからの第２の波長光を反射して受光素子へ入射可能な分波フィルタを、上記発光素子と受光素子の光軸が直交する位置に配置し、
上記保持部材の発光素子側の端部が光軸に対し傾斜し、該傾斜面に上記分波フィルタが取り付けられたことを特徴とする光送受信モジュール。
【請求項２】
上記分波フィルタは、略平行平板からなることを特徴とする請求項１に記載の光送受信モジュール。
【請求項３】
上記保持部材の端部の傾斜は４５±５°であることを特徴とする請求項１または請求項２に記載の光送受信モジュール。
【請求項４】
上記光ファイバの保持部材は、レセプタクル形に形成されていることを特徴とする請求項１〜３のいずれかに記載の光送受信モジュール。
【請求項５】
上記筐体に光アイソレータ素子及び磁石を直接取り付け、光アイソレータを形成したことを特徴とする請求項１〜４のいずれかに記載の光送受信モジュール。
【請求項６】
上記筐体は、ステンレス材からなることを特徴とする請求項１〜５のいずれかに記載の光送受信モジュール。
【請求項７】
上記分波フィルタと上記発光素子との間に、光アイソレータ素子及び磁石を含んでなる光アイソレータを配し、かつ該光アイソレータと上記分波フィルタとを単一のホルダで一括的に保持してなることを特徴とする請求項１〜４のいずれかに記載の光送受信モジュール。
【請求項８】
上記ホルダは、筒状を成しているとともに、その一端面に上記分波フィルタの少なくとも一部が収容される第１凹部、他端面に上記光アイソレータの少なくとも一部が埋設されている第２凹部を有することを特徴とする請求項７に記載の光送受信モジュール。
【請求項９】
上記ホルダに、該ホルダ内に侵入する上記第１の波長光の反射光の少なくとも一部を吸収するための光吸収材を設けたことを特徴とする請求項７または８に記載の光送受信モジュール。
【発明の詳細な説明】
【技術分野】
【０００１】
本発明は、双方向光通信に用いる、送信用及び受信用の光素子が一体となった光送受信モジュールに関する。
【０００２】
光アクセス網における局側と加入者側を１本の光ファイバで双方向伝送する光送受信モジュールは、音声やデータ通信に加え、映像も配信できるよう高速、広帯域化が必要となり、コストを抑えつつ高性能化することが要望されている。
【背景技術】
【０００３】
従来の光送受信モジュールは例えば特許文献１に開示されており、その内部構造を図４及び図５で説明する。また、光アイソレータを内蔵した場合の光送受信モジュールの内部構造を図６で説明する。
【０００４】
図４は、プリズム型の分波フィルタが光ファイバ端部に取り付けられ、光ファイバの保持構造に光レセプタクルが用いられた場合の光送受信モジュールの縦断面図である。発光素子のＬＤ（レーザダイオード）及び受光素子のＰＤ（フォトダイオード）への給電用リード線は省略する。
【０００５】
従来の光送受信モジュールは、ＬＤ１が搭載された発光素子ユニット１００とＰＤが搭載された受光素子ユニット２００、光レセプタクル３００、プリズム型分波フィルタ２及び筐体３とから構成されている。
【０００６】
ＬＤ１は、金属からなるＬＤステム４上にはんだにより搭載され、第１のレンズ５は金属からなる第１のキャップ６に低融点ガラスなどにより固定され、第１のキャップ６はＬＤステム４に抵抗溶接され、発光素子ユニット１００が形成されている。
【０００７】
ＰＤ７は、金属からなるＰＤステム８上にはんだにより搭載され、第２のレンズ９は金属からなる第２のキャップ１０に低融点ガラスなどにより固定され、第２のキャップ１０はＰＤステム８に抵抗溶接され、受光素子ユニット２００が形成されている。
【０００８】
光ファイバ１１は、中央部に第１の貫通孔１２を有し、セラミック又はガラス材からなるフェルール１３に接着剤により保持され、ファイバスタブ１４を形成している。ファイバスタブ１４は金属からなるリング状の保持部材１５に圧入固定され、ファイバスタブ１４にはスリーブ１６が挿入され、スリーブカバー１７が保持部材１５の第１のザグリ部１８に圧入固定され、光レセプタクル３００が形成されている。ファイバスタブ１４のＬＤ１から出射される第１の波長光λ１入射側先端には、プリズム型分波フィルタ２が接着固定されている。
【０００９】
発光素子ユニット１００とプリズム型分波フィルタ２が取り付けられた光レセプタクル３００は、ＬＤ１の光軸上に、受光素子ユニット２００はＬＤ１の光軸と直交する位置に配置され、各々、筐体３に固定され、光送受信モジュールが形成されている。
【００１０】
ＬＤ１から出射された第１の波長光λ１は、第１のレンズ５により集光され、プリズム型分波フィルタ２を通過して光ファイバ１１に光結合される。第２の波長光λ２は、第１の波長光λ１と逆方向から光ファイバ１１に入射され、プリズム型分波フィルタ２によりＬＤ１の光軸とほぼ垂直方向に反射され、第２のレンズ９により集光されてＰＤ７に受光される。
【００１１】
筐体３は、第１の波長光λ１を通過する為の第２の貫通孔２０と第２の波長光λ２を通過する為の第３の貫通孔２１を有している。
【００１２】
図５（ａ）は、プリズム型分波フィルタ２が取り付けられたファイバスタブ１４の縦断面図である。
【００１３】
プリズム型分波フィルタ２は、１辺が１ｍｍ程度の立方体からなり、光軸に対し４５°傾斜したＡ面には、特定の波長帯（この場合はλ１）のみ通過可能な膜が設けられている。第１の波長光λ１は、プリズム型分波フィルタ２のＢ面及びＡ面を通過して光ファイバ１１に至り、第２の波長光λ２は、Ａ面で第１の波長光λ１と垂直方向に反射し、Ｃ面を通過して放出される。
【００１４】
図５（ｂ）は、第１の波長光λ１の一部が多面体からなるプリズム型分波フィルタ２の表面又は内部で反射を繰り返し、迷光となって外部に放出される様子を示した図である。
【００１５】
図６は、光アイソレータを搭載した場合の光送受信モジュールの縦断面図である。
【００１６】
光アイソレータ素子２２は、偏光子２３、ファラデー回転子２４、検光子２５からなり、各々接着剤により張り合わされており、ステンレス材などの金属からなる光アイソレータホルダ２６の第２のザグリ部２７のほぼ中心にかつ、ＬＤ１への近端反射戻り光の影響を抑止するため、光軸と垂直方向に対し約４°傾斜して接着材などにより固定されている。光アイソレータホルダ２６の中心部には、光が通過する第４の貫通孔２８が設けられている。第２のザグリ部２７には、光アイソレータ素子２２内のファラデー回転子２４に磁界を印加する為の円筒型の磁石２９が接着剤等により固定されて光アイソレータ４００を形成している。光アイソレータ４００は、第１のレンズ５とプリズム型分波フィルタ２の間に位置するよう筐体３の第３のザグリ部３０に接着剤やＹＡＧ溶接などの手段により設置固定されている。
【特許文献１】特開２０００−１８０６７号公報
【発明の開示】
【発明が解決しようとする課題】
【００１７】
しかしながら、図４及び図５に示す構造では、ＬＤ１から出射される第１の波長光λ１は、プリズム型分波フィルタ１９のＢ面及びＡ面で反射する微量な光が筐体３内及び多面体であるプリズム型分波フィルタ２内で乱反射し、迷光となった光の一部がＰＤ７に受光してしまいノイズとなるという第１の課題があった。
【００１８】
また、図６に示す光アイソレータ４００を内蔵する場合は、ホルダ２６外径の大きさに合わせて筐体３も大きくする必要がある。
【００１９】
本発明の目的は、上述の課題に鑑みて案出されたものであり、光の乱反射によるノイズの影響を抑制し、小型で高性能、低価格な光送受信モジュールを提供することにある。
【課題を解決するための手段】
【００２０】
上記課題に鑑みて本発明の光送受信モジュールは、発光素子が積載された発光素子ユニットと受光素子が積載された受光素子ユニットとを上記発光素子と受光素子の光軸が直交するように筺体に固定し、光ファイバが積載された保持部材を上記光ファイバが発光素子の光軸上になるように筺体に固定し、上記発光素子からの第１の波長光を透過し、かつ光ファイバからの第２の波長光を反射して上記受光素子へ入射可能な分波フィルタを、上記発光素子と受光素子の光軸が直交する位置に配置し、上記保持部材の発光素子側の端部が光軸に対し傾斜し、該傾斜面に上記分波フィルタが取り付けられたことを特徴とする。
【００２１】
更に、上記分波フィルタは、略平行平板からなることを特徴とする。
【００２２】
加えて、上記保持部材の端部の傾斜は４５±５°であることを特徴とする。
【００２３】
また、上記光ファイバの保持部材は、レセプタクル形に形成されていることを特徴とする。
【００２４】
他に、上記筐体に光アイソレータ素子及び磁石を直接取り付け、光アイソレータを形成したことを特徴とする。
【００２５】
また、上記筐体は、ステンレス材からなることを特徴とする。
【００２６】
一方で、本発明では、上記分波フィルタと上記発光素子との間に、光アイソレータ素子及び磁石を含んでなる光アイソレータを配し、かつ該光アイソレータと上記分波フィルタとを単一のホルダで一括的に保持してなることを特徴とする。
【００２７】
また、上記ホルダは、筒状を成しているとともに、その一端面に上記分波フィルタの少なくとも一部が収容される第１凹部、他端面に上記光アイソレータの少なくとも一部が埋設されている第２凹部を有することを特徴とする。
【００２８】
更に、上記ホルダに、該ホルダ内に侵入する上記第１の波長光の反射光の少なくとも一部を吸収するための光吸収材を設けたことを特徴とする。
【発明の効果】
【００２９】
本発明の構成によれば、発光素子、受光素子、及び光信号の導出、導入を行う光ファイバを有し、複数の波長の光信号にて送受信を行う送受信モジュールにおいて、発光素子が積載された発光素子ユニットと受光素子が積載された受光素子ユニットとを上記発光素子と受光素子の光軸が直交するように筺体に固定し、光ファイバが積載された保持部材を上記光ファイバが発光素子の光軸上になるように筺体に固定し、上記発光素子からの第１の波長光を透過し、かつ光ファイバからの第２の波長光を反射して上記受光素子へ入射可能な分波フィルタを上記発光素子と受光素子の光軸が直交する位置に配置し、上記保持部材の発光素子側の端部が光軸に対し傾斜し、該傾斜面に上記分波フィルタが取り付けられることで、分波フィルタの形状を自由に設定することができ、分波フィルタを略平行平板として４５°±５°に設置することで、第１の波長光及び第２の波長光が乱反射することがなく、ノイズの影響を回避できる。また、一般にプリズムよりも平行平板の方が安価である。
【００３０】
更に、光ファイバの保持部材は、レセプタクル形に形成されていることで光送受信モジュールの大型化を防ぐことができる。
【００３１】
また、光アイソレータ素子及び磁石をステンレス材からなる筐体に直接取り付けて光アイソレータを形成することで、光アイソレータ素子取り付け用ホルダを不要とし、筐体の大型化を防ぐと同時に部材点数の削減ができ、小型、高性能、低価格化した光送受信モジュールを提供できる。
【００３２】
一方で、本発明において、上記分波フィルタと上記発光素子との間に、光アイソレータ素子及び磁石を含んでなる光アイソレータを配し、かつ該光アイソレータと上記分波フィルタとを単一のホルダで一括的に保持する構成とすれば、光アイソレータと分波フィルタとからなる光学部品ユニットの光挿入損失や反射減衰量などの光学特性を一括的に評価でき、作業を効率化できる。
【００３３】
また、上記ホルダは、筒状を成しているとともに、その一端面に上記分波フィルタの少なくとも一部が収容される第１凹部、他端面に上記光アイソレータの少なくとも一部が埋設されている第２凹部を有することで、分波フィルタ及び光アイソレータ素子を容易に位置決めすることができるとともに、分波フィルタ側は分波フィルタの飛び出しがなく光レセプタクルへの接合を容易にできる。
【００３４】
更に、本発明において、上記ホルダに、該ホルダ内に侵入する上記第１の波長光の反射光の少なくとも一部を吸収するための光吸収材を設ければ、第１の波長光の一部が分波フィルタで反射しても光吸収材にて吸収されるため、光の乱反射を防止することができる。
【発明を実施するための最良の形態】
【００３５】
以下、本発明の実施の形態を図によって説明する。なお、従来技術と同じものについては同じ符号を用いるものとする。
【００３６】
図１は、本発明の第１の実施形態に係る光送受信モジュールＭ１の縦断面図である。発光素子のＬＤ（レーザダイオード）及び受光素子のＰＤ（フォトダイオード）への給電用リード線は省略する。
【００３７】
本発明の第１の実施形態に係る光送受信モジュールＭ１は、ＬＤ１が搭載された発光素子ユニット１００とＰＤ７が搭載された受光素子ユニット２００、平行平板からなる分波フィルタ３１が取り付けられた光レセプタクル３００及び光アイソレータ４００を形成する筐体３とから構成されている。
【００３８】
ＬＤ１は、鉄ニッケル材などの金属からなるＬＤステム４上にはんだにより搭載され、第１のレンズ５はステンレス材などの金属からなる第１のキャップ６に低融点ガラスなどにより固定され、第１のキャップ６はＬＤステム４に抵抗溶接され、発光素子ユニット１００が形成されている。
【００３９】
ＰＤ７は、鉄ニッケル材などの金属からなるＰＤステム８上にはんだにより搭載され、第２のレンズ９はステンレス材などの金属からなる第２のキャップ１０に低融点ガラスなどにより固定され、第２のキャップ１０はＰＤステム８に抵抗溶接され、受光素子ユニット２００が形成されている。
【００４０】
光ファイバ１１は、中央部に第１の貫通孔１２を有し、セラミック又はガラス材からなるフェルール１３に接着剤により保持され、ファイバスタブ１４を形成している。ファイバスタブ１４はステンレス材などの金属からなる保持部材１５の第４のザグリ部３２に圧入固定され、ファイバスタブ１４にはリン青銅又はセラミック材からなるスリーブ１６が挿入され、ステンレス材やプラスチック材又はセラミック材からなるスリーブカバー１７が保持部材１５の第１のザグリ部に圧入固定され、光レセプタクル３００が形成されている。
【００４１】
保持部材１５は、ＬＤ１から出射される第１の波長光λ１が入射される側の先端が、光軸に対し４５°±５°に傾斜しており、第１の波長光λ１が通過する為の第４の貫通孔２８を有している。
【００４２】
分波フィルタ３１は、ガラス材からなる平行平板からなり、Ａ面に特定の波長帯（この場合はλ１）のみ通過可能な膜が設けられ、保持部材１５の第１の傾斜面３３に接着剤などにより設置固定されている。Ａ面の膜の材料としては、たとえばＳｉＯ２（Ｎｄ＝１．４６４６）、ＴｉＯ２（Ｎｄ＝２．２４３４）などを用いることができる。そして、この膜は、このような屈折率が異なるＳｉＯ２およびＴｉＯ２をイオンプレーティングなどの蒸着により交互に積層することによって作製され、所定の分光（分波）特性が得られる。保持部材１５には、第２の波長光λ２が分波フィルタ３１によりほぼ直交する方向へ反射され、その第２の波長光λ２が通過するための第５の貫通孔１９が設けられている。
【００４３】
非磁性体のステンレス材などからなる筐体３は、ＬＤ１から出射される第１の波長光λ１が入射される側に光アイソレータ４００を形成するための第３のザグリ部３０を有し、かつ光を通過するための第２の貫通孔２０を有している。また、筐体３は、第２の波長光λ２を通過する為の第３の貫通孔２１を有している。
【００４４】
光アイソレータ素子２２は、偏光子２３、ファラデー回転子２４、検光子２５からなり、各々接着剤により張り合わされており、筐体３の第２のザグリ部２７のほぼ中心にかつ、ＬＤ１への近端反射戻り光の影響を抑止するため、光軸と垂直方向に対し約４°傾斜して接着材などにより固定されている。筐体３の第３のザグリ部３０には、光アイソレータ素子２２内のファラデー回転子２４に磁界を印加する為の円筒型の磁石２９が接着剤等により固定されて光アイソレータ４００を形成している。
【００４５】
発光素子ユニット１００と分波フィルタ３１付き光レセプタクル３００はＬＤ１の光軸上に、受光素子ユニット２００はＬＤ１の光軸と直交する位置に配置され、各々、筐体３にＹＡＧ溶接等の手段により固定され、光送受信モジュールが形成されている。
【００４６】
ＬＤ１から出射された第１の波長光λ１は、第１のレンズ５により集光され、光アイソレータ素子２２及び分波フィルタ３１を通過して光ファイバ１１に光結合される。第２の波長光λ２は、第１の波長光λ１と逆方向から光ファイバ１１に入射され、分波フィルタ３１のＡ面によりＬＤ１の光軸とほぼ垂直方向に反射され、第２のレンズ９により集光されてＰＤ７に受光される。
【００４７】
次に、本発明の第２の実施形態に係る光送受信モジュールについて図２を用いて説明する。図２は、本発明の第２の実施形態に係る光送受信モジュールＭ２の断面図である。
【００４８】
光送受信モジュールＭ２は、光アイソレータ４００と分波フィルタ３１とを単一のホルダ３４で一括的に保持し、光学素子ユニット５００を構成している点で本発明の第１の実施形態に係る光送受信モジュールＭ１と相違する。
【００４９】
ホルダ３４は、第１の波長光λ１が通過する為の第５の貫通孔３８を有し、その一端は光軸に対し４５°±５°の第２の傾斜面３９と第１凹部３５を有し、他端は約４°に傾斜し第２凹部３６を有する筒体であり、たとえば非磁性体のステンレス材又はセラミック材によって構成されている。また、ホルダ３４の第２の傾斜面３９は、光学部品ユニット５００の光軸と光レセプタクル３００の光軸とが直線上に位置するように第１の傾斜面３３と面接触させて、たとえばホルダ３４がステンレス材からなる場合はＹＡＧ溶接、セラミック材からなる場合は接着剤などの固定手段で取り付けられている。このとき、分波フィルタ３１は、ホルダ３４の第２の傾斜面３９に埋設されるように取り付けられているため、第１の傾斜面３３との面接触時に分波フィルタ３１を傷つけることはない。
【００５０】
ホルダ３４の第１凹部３５には、分波フィルタ３１が接着剤などにより固定され、第２凹部３６には光アイソレータ素子２２が固定され、各々第５の貫通孔３８のほぼ中心に位置決めされる。また、第１凹部３５の深さは分波フィルタ３１の厚さと同等以上の深さを有し、分波フィルタ３１が埋設されるようになっている。一方で、光アイソレータ素子２２が固定された面はたとえば約４°に傾斜しており、磁石２９が接着剤などにより取り付けられて光アイソレータ４００を形成している。
【００５１】
また、本発明の光送受信モジュールＭ２では、図３に示すように、ホルダ３４に、該ホルダ内に侵入する第１の波長光λ１の反射光の少なくとも一部を吸収するための光吸収材３７を備えることが好ましい。このような光吸収材３７を設ければ、第１の波長光λ１の一部の光が分波フィルタ３１によって反射しても、散乱光となって外部に放出されることを抑制することができる。光吸収材３７は、たとえば黒色系のポリカーボネート樹脂やＡＢＳ樹脂等で構成される。このような光吸収材３７は、第１の波長光λ１が伝送する光軸に対して分波フィルタ３１が約４５°で配置されている場合、図３に示すように、上記事光軸に対して直交する部分に設けることにより、分波フィルタ３１の表面で反射する第１の波長光λ１の反射光を効率よく吸収することができる。
【００５２】
以上のような本発明の構成によれば、光レセプタクル３００の保持部材１５の先端部を４５°±５°に傾斜させ、その第１の傾斜面３３に平行平板からなる分波フィルタ３１を取り付けたことで、従来の光送受信モジュールのプリズム型分波フィルタ２のようなＢ面が存在しない上、多面体ではないため、乱反射の要因が削除されて、第１の波長光λ１がＰＤ７に直接光結合してしまうことがなく、ノイズの影響を回避できる。一般に、ガラス平行平板は、プリズムよりも安価であるため、平行平板型の分波フィルタ３１を光レセプタクル３００に一体成形することで、モジュールの大型化を防ぎ、低価格化も可能となる。更に、光アイソレータ素子２２を筐体３に直接取り付けて光アイソレータ４００を形成したことで、光アイソレータ４００の部品を削減でき、高性能で小型、低価格な光送受信モジュールを提供できる。
【実施例】
【００５３】
以下、本発明の実施例として図１に示す平行平板の分波フィルタと光アイソレータを内蔵した光送受信モジュールを作製した。
【００５４】
図１において、第１の波長光λ１が１５５０ｎｍであるＬＤ１を用い、鉄ニッケル材からなるＬＤステム４上にはんだにより搭載し、第１のレンズ５はステンレス材からなる第１のキャップ６に低融点ガラスにより固定し、第１のキャップ６はＬＤステム４に抵抗溶接して、発光素子ユニット１００を形成した。
【００５５】
ＰＤ７は、鉄ニッケル材からなるＰＤステム８上にはんだにより搭載し、第２のレンズ９はステンレス材からなる第２のキャップ１０に低融点ガラスにより固定し、第２のキャップ１０はＰＤステム８に抵抗溶接して、受光素子ユニット２００を形成した。
【００５６】
光ファイバ１１は、セラミックからなる直径φ１．２５ｍｍフェルール１３の中央部の第１の貫通孔１２に接着剤により固定してファイバスタブ１４を形成した。ファイバスタブ１４はステンレス材からなる保持部材１５の第４のザグリ部３２に圧入固定し、ファイバスタブ１４にはセラミック材からなる割りスリーブ１６を挿入し、ステンレス材からなるスリーブカバー１７を保持部材１４の第１のザグリ部に圧入固定して光レセプタクル３００を形成した。
【００５７】
保持部材１５の先端は光軸に対し４５°に傾斜して成形し、その傾斜面３３に、第１の波長光λ１が通過する為の第４の貫通孔２８を覆うように、４５°傾斜面に分波フィルタ３１を接着剤により固定した。
【００５８】
分波フィルタ３１は、１×１×０．２ｍｍの大きさのガラス材からなる平行平板であり、両面に第１の波長光λ１の１５５０ｎｍ帯が通過可能な膜を設けた。
【００５９】
光アイソレータ素子２２は、偏光子２３、ファラデー回転子２４、検光子２５からなり、各々接着剤により張り合わせ、１．２×１．２×０．９ｍｍの大きさに切断して筐体３の第３のザグリ部３０のほぼ中心にかつ、ＬＤ１への近端反射戻り光の影響を抑止するため、光軸と垂直方向に対し４°傾斜して接着材により固定した。筐体３はステンレス材からなり、第２のザグリ部２７には、円筒型の磁石２９を接着剤により固定して光アイソレータ４００を形成した。
【００６０】
発光素子ユニット１００と分波フィルタ３１付き光レセプタクル３００はＬＤ１の光軸上に、受光素子ユニット２００はＬＤ１の光軸と直交する位置に設置し、各々所定の光結合が成されるよう調芯した後、筐体３にＹＡＧ溶接により固定し、光送受信モジュールを作製した。
【００６１】
光送受信モジュールにおける第１の波長光λ１を発するＬＤ１のみを発光させ、ＰＤ７で受光する受光感度をＰｒ１（Ａ／Ｗ）とし、ＬＤ１を消光して第２の波長光λ２を光ファイバより発光させてＰＤ７で受光する受光感度をＰｒ２（Ａ／Ｗ）とすると、ダイレクティビティＤは、Ｄ＝｜１０ｌｏｇ（Ｐｒ１／Ｐｒ２）｜（ｄＢ）で表される。
【００６２】
ダイレクティビティＤは、第１の波長光λ１が、ＰＤに受光してしまうことでノイズとなる量を評価する手段の一つである。
【００６３】
本実施例の光送受信モジュールを用いて、ダイレクティビティＤを評価したので、その結果を表１に従来例の光送受信モジュールの評価結果と比較して示す。第２の波長光λ２は、１３１０ｎｍを用いた。
【表１】
2007121987.tif 000003
【００６４】
表１に示すように、従来例の光送受信モジュールでは、ダイレクティビティＤが４７ｄＢであったのに対し、本実施例の光送受信モジュールでは、５５ｄＢとなり、光レセプタクル３００の保持部材１５の先端を４５°に傾斜させ、その傾斜面３３に波長１５５０ｎｍ帯のみ通過できる膜を設けた平行平板からなる分波フィルタ３１を取り付けたことで、プリズム型分波フィルタ２のようなＢ面が存在しない上、多面体ではないため、乱反射の要因が削除されて、第１の波長光λ１がＰＤ７に直接光結合してしまうことがほとんどなく、ノイズの影響を回避できた。また、ガラス平行平板は、プリズムよりも安価であるため、平行平板型の分波フィルタ３１を光レセプタクル３００に一体成形することで、モジュールのサイズを大型化せず、低価格化できた。更に、光アイソレータ素子２２を筐体３に直接取り付けて光アイソレータ４００を形成したことで、光アイソレータ４００の部品を１点削減し、筐体３を大型化することなく、高性能で小型、低価格な光送受信モジュールを提供できた。
【図面の簡単な説明】
【００６５】
【図１】本発明の第１の実施形態に係る光送受信モジュールの縦断面図である。
【図２】本発明の第２の実施形態に係る光送受信モジュールの縦断面図である。
【図３】本発明の第２の実施形態に係る光送受信モジュールにおける光学素子ユニットの拡大縦断面図である。
【図４】従来の光送受信モジュールの縦断面図である。
【図５】従来の光送受信モジュールのプリズム型分波フィルタが取り付けられたスタブの縦断面図である。
【図６】従来の光送受信モジュールに光アイソレータが内蔵された場合の縦断面図である。
【符号の説明】
【００６６】
Ｍ１、Ｍ２…光送受信モジュール
１…ＬＤ（発光素子）
２…プリズム型分波フィルタ
３…筐体
４…ＬＤステム
５…第１のレンズ
６…第１のキャップ
７…ＰＤ
８…ＰＤステム
９…第２のレンズ
１０…第２のキャップ
１１…光ファイバ
１２…第１の貫通孔
１３…フェルール
１４…ファイバスタブ
１５…保持部材
１６…スリーブ
１７…スリーブカバー
１８…第１のザグリ部
１９…第５の貫通孔
２０…第２の貫通孔
２１…第３の貫通孔
２２…光アイソレータ素子
２３…偏光子
２４…ファラデー回転子
２５…検光子
２６…光アイソレータホルダ
２７…第２のザグリ部
２８…第４の貫通孔
２９…磁石
３０…第３のザグリ部
３１…分波フィルタ
３２…第４のザグリ部
３３…第１の傾斜面
３４…ホルダ
３５…第１凹部
３６…第２凹部
３７…光吸収材
３８…第５の貫通孔
３９…第２の傾斜面
１００…発光素子ユニット
２００…受光素子ユニット
３００…光レセプタクル
４００…光アイソレータ
５００…光学部品ユニット
【図１】
2007121987.tif 000004
【図２】
2007121987.tif 000005
【図３】
2007121987.tif 000006
【図４】
2007121987.tif 000007
【図５】
2007121987.tif 000008
【図６】
2007121987.tif 000009